(57)【要約】【課題】  画像品質及び圧縮率を低下させることなく、動画像データを迅速かつ多量に記録することができる画像データ圧縮・伸張方法及び圧縮・伸張装置を提供する。【解決手段】  映像を画像取得部２１によって画像データとして取り込み、動画像データを構成する静止画像データの一部を領域変形部２２２によってトリミングする。トリミング領域に対応する画像データのみをエンコード部２２３によって圧縮し、圧縮された画像データを記録装置部２４によって記録する。圧縮されたトリミング領域の画像データのみをデコード部２２４によって伸張し、表示装置４に動画像として表示する。【選択図】          図１
2006101377.tif 000002
【特許請求の範囲】
【請求項１】
動画像を構成する静止画像の一部をトリミングし、そのトリミング領域に対応する画像データのみを圧縮して記録すると共に、圧縮されたトリミング領域の画像データのみを伸張して動画像として表示することを特徴とする画像データ圧縮・伸張方法。
【請求項２】
映像信号を画像データとして取り込む画像取得部と、
画像取得部によって取得された画像データを処理すると共に、各種制御命令を送信する制御部、画像取得部によって取得された画像データを指定領域に合わせて切り取る領域変形部、領域変形部によってトリミングされた画像データを圧縮するエンコード部、及び圧縮された画像データを伸張するデコード部を有する画像処理部と、
エンコード部によって圧縮された画像データを記録する記録装置部と、
領域変形部から受信した画像データを映像信号に変換する映像出力部と、
から構成される装置本体と、
指令データ又は情報データを入力する操作装置と、
映像出力部から送信された映像信号を表示する表示装置と、
から構成されることを特徴とする画像データ圧縮・伸張装置。
【請求項３】
前記画像取得部は、アンテナ等の電波受信装置によって受信した電波信号を復調して映像信号に変換すると共に、動画像データに変換する復調装置から成ることを特徴とする請求項２に記載の画像データ圧縮・伸張装置。
【請求項４】
前記画像取得部は、ビデオカメラ等の映像出力装置から出力された映像信号を動画像データに変換する映像入力部から成ることを特徴とする請求項２に記載の画像データ圧縮・伸張装置。
【発明の詳細な説明】
【技術分野】
【０００１】
本発明は、テレビジョン放送を受信した映像、ビデオカメラによって撮影した映像等から得られる画像データを圧縮してハードディスク等の記録媒体に記録すると共に、圧縮された動画像データを伸張してＣＲＴディスプレイ等の表示装置に表示するための画像データ圧縮・伸張方法及び圧縮・伸張装置に関する。
【背景技術】
【０００２】
テレビジョン放送を受信した映像、ビデオカメラによって撮影した映像等から得られる動画像データは、そのデータ量が膨大なために、ハードディスク等の記録媒体に記録するのに時間がかかると共に、多大な記録容量を必要とする。
そこで、動画像データを迅速かつ多量に記録装置に記録することができるように、動画像データを圧縮して記録する方法が一般的に採用されている。
【０００３】
動画像データの圧縮方式として、ＩＴＵ−ＴＳ（国際電気通信連合）及びＩＳＯ（国際標準化機構）によって制定されたＭＰＥＧ（Moving Picture Coding Experts Group）が知られている。
このＭＰＥＧは、動画像を構成する静止画像の１駒目のデータと２駒目のデータとを比較して、１駒目と相違する部分のデータだけを２駒目として記録し、さらに、３駒目のデータと２駒目のデータとを比較して、２駒目と相違する部分のデータだけを３駒目として記録し、以下同様にして、前駒と相違する部分のデータのみを記録していくという方式である。
【０００４】
ＭＰＥＧは、変化のあった部分のデータのみを記録するので、動画像データの圧縮率が高く、動画像データを迅速かつ多量に記録装置に記録することができる。
【０００５】
一方、スチルカメラによって撮影した映像から得られる静止画像データをメモリ・カードに記録する方法として、静止画像データを一時的に揮発性メモリに記憶させ、記憶させた静止画像データを表示させ、その一部をトリミングして、トリミング領域のデータのみをメモリ・カードに記録する方法が提案されている（特許文献１参照）。
【０００６】
特許文献１に開示された方法は、トリミング領域のデータのみを記録するので、記録データ量は少なく、多数駒の画像データをメモリ・カードに記録することができる。
【０００７】
【特許文献１】特開２００２−２７２９８号公報
【発明の開示】
【発明が解決しようとする課題】
【０００８】
しかし、ＭＰＥＧにあっては、動画像データの圧縮を繰り返す毎に画像品質が低下すると共に、変化の大きな動画像の場合には、相違する部分のデータ量が大きくなって圧縮率が低下してしまう。
【０００９】
一方、特許文献１に開示された方法にあっては、静止画像データを一時的に揮発性メモリに記憶させ、記憶させた静止画像データを表示させ、その一部をトリミングするので、そのままでは動画像データの所定領域をトリミングすることはできない。
【００１０】
本発明は、上記従来の問題点に鑑みて為されたものであって、映像等から得られる動画像データの所定領域のみをトリミングして、画像品質及び圧縮率を低下させることなく、動画像データを迅速かつ多量に記録装置に記録することができる画像データ圧縮・伸張方法を提供することを目的とする。
【００１１】
又、本発明は、本発明の画像データ圧縮・伸張方法を好適に実施することができる画像データ圧縮・伸張装置を提供することを目的とする。
【課題を解決するための手段】
【００１２】
上記目的を達成するため、本発明の画像データ圧縮・伸張方法は、動画像を構成する静止画像の一部をトリミングし、そのトリミング領域に対応する画像データのみを圧縮して記録すると共に、圧縮されたトリミング領域の画像データのみを伸張して動画像として表示することを特徴とする。
【００１３】
又、本発明の画像データ圧縮・伸張装置は、本発明の画像データ圧縮・伸張方法を好適に実施することができるものであって、映像信号を画像データとして取り込む画像取得部と、画像取得部によって取得された画像データを処理すると共に、各種制御命令を送信する制御部、画像取得部によって取得された画像データを指定領域に合わせて切り取る領域変形部、領域変形部によってトリミングされた画像データを圧縮するエンコード部、及び圧縮された画像データを伸張するデコード部を有する画像処理部と、エンコード部によって圧縮された画像データを記録する記録装置部と、領域変形部から受信した画像データを映像信号に変換する映像出力部と、から構成される装置本体と、指令データ又は情報データを入力する操作装置と、映像出力部から送信された映像信号を表示する表示装置と、から構成されることを特徴とする。
【００１４】
ここで、前記画像取得部は、アンテナ等の電波受信装置によって受信した電波信号を復調して映像信号に変換すると共に、動画像データに変換する復調装置から成るものとしてもよい。又、ビデオカメラ等の映像出力装置から出力された映像信号を動画像データに変換する映像入力部から成るものとしてもよい。
【発明を実施するための最良の形態】
【００１５】
以下、本発明の画像データ圧縮・伸張方法及び圧縮・伸張装置について、図面を参照して説明する。
図１は、本発明の画像データ圧縮・伸張装置の一実施例の概略構成図である。
【００１６】
先ず、本発明の画像データ圧縮・伸張装置について説明する。
本発明の画像データ圧縮・伸張装置１は、図１に示すように、装置本体２、操作装置３及び表示装置４から構成され、装置本体２は、画像取得部２１、画像処理部２２、インタフェース部２３、記録装置部２４及び映像出力部２５から構成される。
装置本体２は、映像を取得するために、アンテナ等の電波受信装置５１、ビデオカメラ等の映像出力装置５２に接続してある。
【００１７】
電波受信装置５１は、テレビ放送、ケーブルテレビ（ＣＡＴＶ）放送、衛星放送等の電波信号を受信するものであって、アンテナ等を採用することができる。
映像出力装置５２は、映像を撮影するものであって、監視用のビデオカメラ、医療用の内視鏡カメラ等を採用することができる。
【００１８】
画像取得部２１は、復調装置２１１、映像入力部２１２等から構成される。
復調装置２１１は、アンテナ等の電波受信装置５１によって受信した電波信号を復調して映像信号に変換すると共に、動画像データに変換するものである。
映像入力部２１２は、ビデオカメラ等の映像出力装置５２から出力された映像信号を動画像データに変換するものである。
【００１９】
映像処理部２２は、制御部２２１、領域変形部２２２、エンコード部２２３及びデコード部２２４から構成される。
制御部２２１は、中央演算処理装置（ＣＰＵ）によって構成され、画像取得部２１によって取得された画像データを処理するために、操作装置５から入力された指令データ又は情報データを領域変形部２２２、エンコード部２２３、デコード部２２４に送信すると共に、記録装置部２４に画像データを記録し、映像出力部２５に画像を表示する等の制御命令を送信するものである。
【００２０】
領域変形部２２２は、画像取得部２１によって取得され、操作装置３によって領域指定された画像データを、その指定された領域に合わせて切り取ってエンコード部２２３に送信し、デコード部２２４によって伸張されたデータを受け取って映像出力部２５に送信するものである。
【００２１】
エンコード部２２３は、領域変形部２２２より送られた画像データを圧縮するものであって、圧縮した画像データを記録装置部２３に記録させる。ここで、圧縮方式は、特に限定されるものではないが、ＭＰＥＧであるのが好ましい。
デコード部２２４は、記録装置部２４に記録されている圧縮された画像データを伸張するものである。
【００２２】
インタフェース部２３は、操作装置３からの指令データ又は情報データを制御部２２１へ送信するものであって、有線方式又は無線方式であってもよい。
【００２３】
記録装置部２４は、エンコード部２２３によって圧縮された画像データを記録、保存しておくものである。記録装置部２４は、装置本体２に内蔵されたハードディスクドライブ等であるが、携帯可能な小型の外部記憶装置に接続するようにしてもよい。
【００２４】
映像出力部２５は、領域変形部２２２から受信した画像データを映像信号に変換して表示装置３へ送信するものである。
【００２５】
表示装置３は、映像出力部２５から送信されてきた映像信号を表示するものであって、ＣＲＴディスプレイ、液晶ディスプレイ、プラズマディスプレイ等を採用することができる。
【００２６】
次に、本発明の画像データ圧縮・伸張方法について説明する。
図２は、トリミング領域を指定する方法を示すフローチャート、図３は、トリミング領域の画像データを圧縮して記録する方法を示すフローチャート、図４は、圧縮された画像データを伸張して表示する方法を示すフローチャートである。
【００２７】
先ず、図２に示すように、映像のどの部分をトリミングするのかを指定するトリミング領域指定処理Ｓ１を行う。
使用者が映像表示を指示すると（Ｓ１１）、画像取得部２１が映像出力装置５２から映像データを取り込む（Ｓ１２）。
【００２８】
映像データは領域変形部２２２に送られ（Ｓ１３）、さらに、映像出力部２５に送られて映像信号に変換され、表示装置３の画面上に映像が表示される（Ｓ１４）。
使用者は、映像を表示装置３の画面上で確認し、操作装置３によってトリミングする位置情報及び範囲情報を指定する（Ｓ１５）。
【００２９】
ここで、位置情報及び範囲情報を指定する方法としては、操作装置３によって矩形の２頂点を指定する方法、予め複数の矩形情報を操作装置３等に記憶させておき、その中から選択して指定する方法、不要な部分がある所定の色になるとわかっている場合において、その色を指定する方法等が考えられるが、どの指定方法を用いてもよい。
【００３０】
次に、図３に示すように、トリミング領域の画像データを圧縮して記録する画像データ圧縮、記録処理（Ｓ２）を行う。
使用者が記録を指示すると（Ｓ２１）、操作装置３によって指定された位置情報及び範囲情報をインタフェース部２４を介して制御部２２１へ送り、制御部２２１から領域変形部２２２にトリミングするように指示する（Ｓ２２）。
【００３１】
制御部２２１からトリミング指示がなされると、領域変形部２２２は画像取得部２１からの画像データを、制御部２２１からの位置情報及び範囲情報に基づいてトリミングする（Ｓ２３）。
【００３２】
トリミングされた画像データはエンコード部２２３に送られ、ＭＰＥＧ等の圧縮方式で圧縮された後（Ｓ２４）、記録装置部２４においてハードディスク等の記録媒体に記録される（Ｓ２５）。
【００３３】
次に、図４に示すように、圧縮された画像データを伸張して表示装置４に表示させる映像表示処理（Ｓ３）を行う。
使用者が映像表示させたい画像データを指定すると、記録装置部２４から圧縮された画像データがデコード部２２４に送られ（Ｓ３１）、画像データは伸張された後、領域変形部２２２に送られる（Ｓ３２）。
【００３４】
領域変形部２２２において、圧縮された画像データのサイズを識別し、映像を表示する表示装置４の画面サイズに合致するよう画像データのサイズを変更して、映像出力部２５へ送る（Ｓ３３）。
【００３５】
映像出力部２５に送られた画像データは、映像信号に変換され表示装置３に送られ、表示装置３の画面上に表示される。
【００３６】
本発明の画像データ圧縮・伸張方法によれば、使用者が指定する所定部分の画像データのみを圧縮して記録することができるので、全体的には圧縮率は高くなって、多量の動画像データを記録することができる。
【実施例】
【００３７】
次に、本発明の画像データ圧縮・伸張方法を各種映像等から得られる動画像データに適用した実施例について説明する。
【００３８】
［実施例１］
図５（Ａ）は、医療用の内視鏡カメラによって取得した映像を表示装置４に表示した図であって、中心部に円形状に映像が表示され、周辺部は黒色の無映像部となっている。
【００３９】
このような映像の場合には、図５（Ｂ）に示すように、本発明の画像データ圧縮・伸張方法によって、周辺部の画像データを極力除去した後、圧縮して記録すれば、圧縮率を高くすることができると共に、画像品質を低下させることなく記録することができる。
【００４０】
［実施例２］
図６（Ａ）は、監視用のビデオカメラによって取得した映像を表示装置４に表示した図であって、監視用のビデオカメラにあっては、設置場所が撮影対象より離れた場所に限定されるため、撮影対象ではない周囲までも撮影してしまい、必然的に画像データ量が増大してしまう。
【００４１】
このような映像の場合には、図６（Ｂ）に示すように、本発明の画像データ圧縮・伸張方法によって、撮影対象の極近傍の画像データのみをトリミングした後、圧縮して記録すれば、圧縮率を高くすることができると共に、画像品質を低下させることなく記録することができる。
【００４２】
［実施例３］
図７（Ａ）は、テレビ放送、ＣＡＴＶ放送又は衛星放送を受信した映像をＣＲＴディスプレイの画面上に表示した図であって、放送映像にあっては、画面の下端部には出演者の発言等を文字情報として表示する程度のものが多い。
【００４３】
このような映像の場合には、図７（Ｂ）に示すように、本発明の画像データ圧縮・伸張方法によって、画面の下端部に表示される映像に対応する画像データを除去した後、圧縮して記録すれば、圧縮率を高くすることができると共に、画像品質を低下させることなく記録することができる。
【００４４】
尚、トリミングして圧縮した画像データは、伸張させて映像表示させる際に、そのままのサイズで画面表示させてもよく、又、サイズを変更して画面全体に表示させてもよい。
【図面の簡単な説明】
【００４５】
【図１】本発明の画像データ圧縮・伸張装置の一実施例の概略構成図である。
【図２】トリミング領域を指定する方法を示すフローチャートである。
【図３】トリミング領域の画像データを圧縮して記録する方法を示すフローチャートである。
【図４】圧縮された画像データを伸張して表示する方法を示すフローチャートである。
【図５】（Ａ）は医療用の内視鏡カメラによる映像を表示装置に表示した図、（Ｂ）は周辺部の画像データを極力除去した後、圧縮した映像を表示装置に表示した図である。
【図６】（Ａ）は監視用のビデオカメラによる映像を表示装置に表示した図、（Ｂ）は撮影対象の極近傍の画像データのみをトリミングした後、圧縮した映像を表示装置に表示した図である。
【図７】（Ａ）はテレビ放送等を受信した映像を表示装置に表示した図、（Ｂ）は画面の下端部に表示される映像に対応する画像データを除去した後、圧縮した映像を表示装置に表示した図である。
【符号の説明】
【００４６】
１      画像データ圧縮・伸張装置
２      装置本体
２１    画像取得部
２１１  復調装置
２１２  画像入力部
２２      画像処理部
２２１    制御部
２２２    領域変形部
２２３    エンコード部
２２４    デコード部
２４      記録装置部
２５      映像出力部
３        操作装置
４        表示装置
５１      電波受信装置
５２      映像出力装置
【図１】
2006101377.tif 000003
【図２】
2006101377.tif 000004
【図３】
2006101377.tif 000005
【図４】
2006101377.tif 000006
【図５】
2006101377.tif 000007
【図６】
2006101377.tif 000008
【図７】
2006101377.tif 000009